(57)【要約】【課題】組立によって防水性能の低下を来たす虞の低い防水型電子機器を提供する。【解決手段】本発明に係る防水型電子機器においては、本体の前面にタッチパネルが配備されると共に、該タッチパネルの背面側に電子部品が配備され、タッチパネルは本体の前面に接着固定され、本体には、タッチパネルの背面に沿って拡がるプレート部が設けられると共に、該プレート部の背面側に回路基板８が配備されており、タッチパネル及び電子部品は、ぞれぞれの端部から引き出された２枚のフレキシブルプリント基板を介して、回路基板８と接続されている。ここで、タッチパネルから引き出されたフレキシブルプリント基板のリード部51と、電子部品から引き出されたフレキシブルプリント基板のリード部61とは、互いに重ねられた状態で、プレート部に開設された１つの貫通孔22を貫通し、それぞれの先端部が回路基板８に連結されている。【選択図】図９
2014178795.tif 000002
【特許請求の範囲】
【請求項１】
防水構造を有する本体の前面に形成された開口を塞ぐ様にタッチパネルが配備されると共に、該タッチパネルの背面側に電子部品が配備され、タッチパネルは本体の前面に接着層によって固定され、本体には、タッチパネルの背面に沿って拡がるプレート部が設けられると共に、該プレート部の背面側に回路基板が配備されており、前記タッチパネル及び電子部品は、ぞれぞれの端部から引き出された２枚のフレキシブルプリント基板を介して、前記回路基板と接続されている防水型電子機器において、
前記タッチパネルから引き出されたフレキシブルプリント基板のリード部と、前記電子部品から引き出されたフレキシブルプリント基板のリード部とは、互いに重ね合わせることが可能な経路を延びており、両リード部が互いに重ねられた状態で、前記プレート部に開設された１つの貫通孔を貫通し、それぞれの先端部が前記回路基板に連結されていることを特徴とする防水型電子機器。
【請求項２】
前記電子部品はディスプレイパネルである請求項１に記載の防水型電子機器。
【請求項３】
前記タッチパネルから引き出されたフレキシブルプリント基板のリード部と、前記電子部品から引き出されたフレキシブルプリント基板のリード部とは、Ｌ字状に屈曲した状態で、前記１つの貫通孔を貫通している請求項１又は請求項２に記載の防水型電子機器。
【請求項４】
前記タッチパネルから引き出されたフレキシブルプリント基板のリード部と、前記電子部品から引き出されたフレキシブルプリント基板のリード部の内、より幅の広いリード部の幅領域内に、より幅の狭いリード部が重ねられている請求項１乃至請求項３の何れかに記載の防水型電子機器。
【請求項５】
前記接着層は、本体の開口を包囲する環状の経路に沿って形成され、少なくともその周方向の一部が前記貫通孔の近傍領域に塗布された接着剤によって形成される請求項１乃至請求項４の何れかに記載の防水型電子機器。
【請求項６】
前記本体は、前面側本体シャーシと背面側本体シャーシとを互いに接合固定して構成され、両本体シャーシの間に介在する防水パッキンによって本体の防水構造が構成されている請求項１乃至請求項５の何れかに記載の防水型電子機器。
【発明の詳細な説明】
【技術分野】
【０００１】
本発明は、本体が防水構造を有する防水型電子機器に関するものである。
【背景技術】
【０００２】
従来、携帯電話機においては、本体の前面に大きく開設された開口を塞ぐ様にタッチパネルを配備すると共に、該タッチパネルの背面側にディスプレイパネルを配備し、該開口から露出するタッチ操作面に、ディスプレイパネルによって複数のキー画像を表示し、１つのキー画像に対するタッチ操作をタッチパネルにより検知することが行なわれる。
【０００３】
この様な携帯電話機において、タッチパネルとディスプレイパネルは、ぞれぞれの端部から引き出された２枚のフレキシブルプリント基板を介して、本体の内部に設置された回路基板と接続される。
【０００４】
この様な携帯電話機の防水を図る場合、本体の前面にタッチパネルを接着剤により固定すると共に、該接着剤によって本体とタッチパネルの間を封止することにより、本体の内部へ水が浸入することが防止される(特許文献１参照)。
【先行技術文献】
【特許文献】
【０００５】
【特許文献１】特開２０１１−１０７９８９号公報
【発明の概要】
【発明が解決しようとする課題】
【０００６】
ところで、上述の如き防水構造を有する携帯電話機においては、本体側に、タッチパネル及びディスプレイパネルの背面に対向してプレート部が設けられ、該プレート部によってタッチパネル及びディスプレイパネルの背面を受け止めることが可能な構造が採用されており、該プレート部の背面側に回路基板が設置されているため、タッチパネルから引き出されたフレキシブルプリント基板と、ディスプレイパネルから引き出されたフレキシブルプリント基板とをそれぞれ、該回路基板に連結するために、前記プレート部に２つの貫通孔を形成し、各フレキシブルプリント基板のリード部を、プレート部の各貫通孔を経て回路基板まで引き延ばすことが行なわれる。
【０００７】
この様な携帯電話機の組立工程においては、本体にタッチパネルを接着剤により固定するために本体の開口の周囲に液状の接着剤を塗布した状態で、タッチパネルから引き出されたフレキシブルプリント基板のリード部を屈曲させつつプレート部の一方の貫通孔へ挿入すると同時に、ディスプレイパネルから引き出されたフレキシブルプリント基板のリード部を屈曲させつつプレート部の他方の貫通孔へ挿入する。
【０００８】
しかしながら、フレキシブルプリント基板は弾性を有して屈曲形状が一定に定まり難いため、２枚のフレキシブルプリント基板のリード部をプレート部の２つの貫通孔へそれぞれ挿入する作業において、一方のリード部の先端が、本体に塗布されている接着剤に接触して、接着剤の一部を掻き取ってしまう虞があり、接着剤の一部が掻き取られた場合、接着剤による防水性能が損なわれる問題があった。
【０００９】
そこで本発明は、組立によって防水性能の低下を来たす虞の低い防水型電子機器を提供することを目的とする。
【課題を解決するための手段】
【００１０】
本発明に係る防水型電子機器においては、防水構造を有する本体(１)の前面に形成された開口(11)を塞ぐ様にタッチパネル(５)が配備されると共に、該タッチパネル(５)の背面側に電子部品が配備され、タッチパネル(５)は本体(１)の前面に接着層によって固定され、本体(１)には、タッチパネル(５)の背面に沿って拡がるプレート部(21)が設けられると共に、該プレート部(21)の背面側に回路基板(８)が配備されており、前記タッチパネル(５)及び電子部品は、ぞれぞれの端部から引き出された２枚のフレキシブルプリント基板(50)(60)を介して、前記回路基板(８)と接続されている。
前記電子部品は例えばディスプレイパネル(６)である。
【００１１】
ここで、前記タッチパネル(５)から引き出されたフレキシブルプリント基板(50)のリード部(51)と、前記電子部品から引き出されたフレキシブルプリント基板(60)のリード部(61)とは、互いに重ね合わせることが可能な経路を延びており、両リード部(51)(61)が互いに重ねられた状態で、前記プレート部(21)に開設された１つの貫通孔(22)を貫通し、それぞれの先端部が前記回路基板(８)に連結されている。
【００１２】
上記本発明の防水型電子機器の組立工程においては、本体(１)の開口(11)を包囲する環状の経路に沿って接着剤(９)を塗布した状態で、タッチパネル(５)から引き出されたフレキシブルプリント基板(50)のリード部(51)と、電子部品から引き出されたフレキシブルプリント基板(60)のリード部(61)とを、互いに重ね合わせ、これらのリード部(51)(61)を屈曲させつつ、本体(１)のプレート部(21)の貫通孔(22)へ貫通させ、それぞれの先端部を回路基板(８)に連結する。
【００１３】
ここで、２枚のフレキシブルプリント基板(50)(60)のリード部(51)(61)は互いに重なっているので、２本のリード部(51)(61)をあたかも１本のリード部の如く取り扱って、プレート部(21)の貫通孔(22)へ貫通させることが出来る。
従って、従来の如く２本のリード部をプレート部の２つの貫通孔へ別々に貫通させる作業と比較して、リード部の先端が本体(１)上の接着剤(９)に接触する危険性は低いものとなる。
【００１４】
例えば、タッチパネル(５)から引き出されたフレキシブルプリント基板(50)のリード部(51)と、電子部品から引き出されたフレキシブルプリント基板(60)のリード部(61)とが、Ｌ字状に屈曲した状態で、プレート部(21)の貫通孔(22)を貫通している構成では、外側のリード部(61)の挙動のみに注意して、該リード部(61)を貫通孔(22)へ貫通させることで、他のリード部(51)も同時に貫通孔(22)に挿入されることになる。
【発明の効果】
【００１５】
本発明に係る防水型電子機器によれば、組立工程において、タッチパネル(５)から引き出されたフレキシブルプリント基板(50)のリード部(51)と、電子部品から引き出されたフレキシブルプリント基板(60)のリード部(61)とが、本体(１)上の接着剤(９)に接触する可能性が低いので、接着剤(９)による防水性能が損なわれる虞は殆どない。
【図面の簡単な説明】
【００１６】
【図１】図１は、本発明の一実施形態である携帯電話機の前面を示す斜視図である。
【図２】図２は、該携帯電話機の背面を示す斜視図である。
【図３】図３は、図１のＸ−Ｘ線に沿う断面図である。
【図４】図４は、図３のＡ部の拡大断面図である。
【図５】図５は、該携帯電話機の分解斜視図である。
【図６】図６は、該携帯電話機を裏返した状態での分解斜視図である。
【図７】図７は、タッチ操作ユニットの分解斜視図である。
【図８】図８は、タッチ操作ユニットの組立斜視図である。
【図９】図９は、２枚のフレキシブルプリント基板のリード部が互いに重ね合わされた状態で前面側本体シャーシの貫通孔を貫通している状態を示す斜視図である。
【図１０】図１０は、２枚のフレキシブルプリント基板のリード部が回路基板に連結されている状態を示す斜視図である。
【図１１】図１１は、前面側本体シャーシの前面に接着剤が塗布されている状態を示す平面図である。
【発明を実施するための形態】
【００１７】
以下、本発明を携帯電話機に実施した形態につき、図面に沿って具体的に説明する。
本発明の一実施形態である携帯電話機は、図１に示す如く、扁平直方体状の本体(１)にタッチ操作ユニット(４)を内蔵し、タッチ操作ユニット(４)のタッチ操作面(40)を本体(１)の前面から露出させている。
【００１８】
又、本体(１)の背面には、該背面を覆って、図２に示す如く背面カバーパネル(７)が設置されており、背面カバーパネル(７)には、電池蓋(70)が脱着可能に取り付けられている。
【００１９】
図３に示す如く、本体(１)は、合成樹脂製の前面側本体シャーシ(２)と背面側本体シャーシ(３)とを互いに接合して構成され、両本体シャーシ(２)(３)の間には、図６に示す防水パッキン(10)が介在して、本体(１)に対する防水構造を構成している。
【００２０】
タッチ操作ユニット(４)は、図３に示す如くタッチパネル(５)とディスプレイパネル(６)とを一体化したものであり、タッチパネル(５)の背面にディスプレイパネル(６)の前面を対向させて、両パネル(５)(６)が互いに接着固定されている。
【００２１】
図３及び図４に示す如く、前面側本体シャーシ(２)の前面には開口(11)が形成され、該開口(11)を塞ぐ様にタッチ操作ユニット(４)が設置され、タッチパネル(５)を構成するガラス板(54)の背面の外周部に、液状の接着剤(９)が塗布されて、熱を加えることで固まり、これによって、本体(１)の開口(11)の周囲に拡がる開口縁部にタッチパネル(５)が固着される。
ここで、前記接着剤(９)は、例えば加熱硬化型接着剤である。
【００２２】
図７に示す如くタッチパネル(５)の背面の端部からは第１のフレキシブルプリント基板(50)が引き出されると共に、ディスプレイパネル(６)の背面の端部からは第２のフレキシブルプリント基板(60)が引き出されている。
ここで、第１のフレキシブルプリント基板(50)のリード部(51)と、第２のフレキシブルプリント基板(60)のリード部(61)とは、互いに重ね合わせることが可能な経路を延びており、両リード部(51)(61)の先端部には雄コネクター部(52)(62)が設けられている。
【００２３】
尚、タッチパネル(５)の裏面には、受話部を構成する骨伝導用振動素子(41)が配備されており、該骨伝導用振動素子(41)からは第３のフレキシブルプリント基板(53)が引き出されている。
【００２４】
図８に示す如く、タッチパネル(５)とディスプレイパネル(６)とが互いに一体化されることにより、第１のフレキシブルプリント基板(50)のリード部(51)と、第２のフレキシブルプリント基板(60)のリード部(61)とは、互いに重なることになる。
【００２５】
第２のフレキシブルプリント基板(60)のリード部(61)は、第１のフレキシブルプリント基板(50)のリード部(61)よりも幅広に形成され、第２のフレキシブルプリント基板(60)のリード部(61)を外側に、第１のフレキシブルプリント基板(50)のリード部(61)を内側に配置した状態で、第２のフレキシブルプリント基板(60)のリード部(61)の幅領域内に、第１のフレキシブルプリント基板(50)のリード部(51)が重ねられている。
【００２６】
図５及び図６に示す如く、前面側本体シャーシ(２)の前面には、ステンレス鋼の板金からなるプレート部(21)が固定されており、該プレート部(21)によって、タッチ操作ユニット(４)の背面を受け止めることが可能となっている。尚、該プレート部(21)の前面とタッチ操作ユニット(４)の背面との間には、例えば０.２ｍｍ程度の隙間が形成されているが、互いに接触する構成であってもよい。
又、前面側本体シャーシ(２)と背面側本体シャーシ(３)との間に形成される空間には、回路基板(８)が設置されると共に、バッテリー(80)が収容される。
【００２７】
前面側本体シャーシ(２)のプレート部(21)には、タッチ操作ユニット(４)から引き出された２枚のフレキシブルプリント基板(50)(60)のリード部(51)(61)が互いに重ねられた状態で貫通すべき１つの貫通孔(22)が開設されている。
そして、図９及び図１０に示す如く、両リード部(51)(61)は、Ｌ字状に屈曲した状態で前面側本体シャーシ(２)の貫通孔(22)を貫通して、先端部に設けられた２つの雄コネクター部(52)(62)が、回路基板(８)の裏面に配備された２つの雌コネクター部(81)(82)にそれぞれ連結される。
【００２８】
上記携帯電話機の組立工程においては、図７及び図８に示す如く、タッチパネル(５)とディスプレイパネル(６)とを一体化してタッチ操作ユニット(４)を構成すると共に、２枚のフレキシブルプリント基板(50)(60)のリード部(51)(61)を互いに重ね合わせる。
又、図１１の如く、前面側本体シャーシ(２)の前面を上向きにして、該前面の外周部に、接着剤(９)を塗布する。
尚、前記接着剤(９)は、例えば加熱硬化型接着剤からなり、最終的に前面側本体シャーシ(２)にタッチ操作ユニット(４)を固着させる。
【００２９】
そして、２本のリード部(51)(61)をＬ字状に折り曲げた状態で、両リード部(51)(61)を前面側本体シャーシ(２)の貫通孔(22)へ挿入しつつ、前面側本体シャーシ(２)の前面にタッチ操作ユニット(４)を設置する。
【００３０】
この際、２本のリード部(51)(61)は互いに重なっているので、あたかも１本のリード部の如く取り扱うことが可能であり、２本のリード部(51)(61)をＬ字状に屈曲させた状態で、外側のリード部(61)の挙動だけに注意しながら、該リード部(61)を前面側本体シャーシ(２)の貫通孔(22)に挿入する。これによって、内側のリード部(51)も同時に貫通孔(22)に挿入されることになる。
【００３１】
その後、図９及び図１０の如く、２本のリード部(51)(61)を更に折り曲げてＵ字状に屈曲させ、両リード部(51)(61)の先端部に設けられている２つの雄コネクター部(52)(62)を、前面側本体シャーシ(２)上の回路基板(８)に配備されている２つの雌コネクター部(81)(81)にそれぞれ連結する。
【００３２】
上記組立作業においては、外側のリード部(61)の挙動だけに注意しながら、両リード部(51)(61)を同時に前面側本体シャーシ(２)の貫通孔(22)に挿入することが出来るので、両リード部(51)(61)を前面側本体シャーシ(２)上の接着剤(９)に接触させることなく、前面側本体シャーシ(２)の貫通孔(22)に挿入することが出来る。
【００３３】
従って、前面側本体シャーシ(２)上の接着剤(９)がリード部(51)(61)によって掻き取られることはなく、該接着剤(９)によって前面側本体シャーシ(２)にタッチ操作ユニット(４)を接着固定することが出来ると共に、前面側本体シャーシ(２)とタッチ操作ユニット(４)の間に高い防水性能を実現することが出来る。
【００３４】
尚、本発明の各部構成は上記実施の形態に限らず、特許請求の範囲に記載の技術的範囲内で種々の変形が可能である。
例えば、互いに重ね合わせるべき２枚のフレキシブルプリント基板は、タッチパネル(５)から引き出されたフレキシブルプリント基板(50)と、ディスプレイパネル(６)から引き出されたフレキシブルプリント基板(60)との組合せに限らず、タッチパネル(５)から引き出されたフレキシブルプリント基板(50)と、タッチパネル(５)に配備された他の電子部品、例えば骨伝導用振動素子(41)から引き出されたフレキシブルプリント基板(53)との組合せであってもよい。
【００３５】
又、本体(１)の前面にタッチ操作ユニット(４)を固定するための接着層としては、本体(１)の開口(11)を包囲する環状の経路に沿って、その全周を接着剤(９)によって形成する構成に限らず、前面側本体シャーシ(２)の貫通孔(22)から十分に離れた一部の領域は両面粘着テープによって形成し、他の領域は接着剤(９)によって形成することも可能である。
【００３６】
更に又、前面側本体シャーシ(２)のプレート部(21)は、板金製に限らず、例えば前面側本体シャーシ(２)との一体成型により、合成樹脂製とすることも可能である。
【符号の説明】
【００３７】
(１)  本体
(11)  開口
(２)  前面側本体シャーシ
(21)  プレート部
(22)  貫通孔
(３)  背面側本体シャーシ
(４)  タッチ操作ユニット
(40)  タッチ操作面
(５)  タッチパネル
(50)  フレキシブルプリント基板
(51)  リード部
(52)  雄コネクター部
(６)  ディスプレイパネル
(60)  フレキシブルプリント基板
(61)  リード部
(62)  雄コネクター部
(８)  回路基板
(81)  雌コネクター部
(82)  雌コネクター部
(９)  接着剤
【図１】
2014178795.tif 000003
【図２】
2014178795.tif 000004
【図３】
2014178795.tif 000005
【図４】
2014178795.tif 000006
【図５】
2014178795.tif 000007
【図６】
2014178795.tif 000008
【図７】
2014178795.tif 000009
【図８】
2014178795.tif 000010
【図９】
2014178795.tif 000011
【図１０】
2014178795.tif 000012
【図１１】
2014178795.tif 000013